(57)【要約】      （修正有）【課題】ミツバチが捕殺部に上昇し難い、スズメバチが誘導部から外部に脱出し難い、スズメバチがミツバチ巣箱に進入し難い構造のスズメバチ捕獲器を提供する。【解決手段】スズメバチ捕獲器２は、誘導部が閉口した側面板３と天上板４及び天上網５からなり、下部は板張りで一部空洞になり、捕獲、捕殺部は平行した側面板から成り、側面板の底部から２分の１乃至４分の３の位置に捕獲部、４分の３から天上板の間に捕殺部を設置し、捕獲、捕殺部の底には、ミツバチとスズメバチが通れる１つの穴、天上板にはミツバチだけが通れる穴を設け、捕獲部の正面金網の外側上部にはトタン板を取り付けて、捕殺部への上昇を防止し、底部の出入り口の一部を狭く板張りとして、誘導部に進入したスズメバチの逃走を防止し、捕殺部に誘導する様にした。更に、誘導部にミツバチは通過出来るがスズメバチは通過できない金網を設けた。【選択図】図１
0003220502.tif 000002
【実用新案登録請求の範囲】
【請求項１】
誘導部、捕獲部、捕殺部からなるスズメバチ捕獲器で、
誘導部は、平行した誘導側板と天上板及び天上網、下部は３分の２が板張りで３分の１が空洞になり、
捕獲、捕殺部は、平行した側板と天上板から成り、側板の底部から２分の１の位置に捕獲部、４分の３の底板に捕殺部が設置され捕獲部の底には１カ所の穴、補殺部の底には１カ所の穴、天上板に１カ所の穴を設け、誘導部、捕獲部の正面金網はスズメバチは通過できなくミツバチは通過でき、捕殺部の正面金網はスズメバチ、ミツバチとも通過できなく、外部からも進入できない。
捕獲、捕殺部の底に設けた穴は、スズメバチ、ミツバチとも通過でき、天上板に設けた穴は、スズメバチは通過できないがミツバチは通過できる。
ミツバチが誘導部を通過する時、多少のミツバチが外部に出ることなく捕殺部に上昇するため、捕獲部正面金網の外側上部に巾３センチのトタン板を取り付けたスズメバチ捕獲器。
【請求項２】
誘導部に進入したスズメバチは、ミツバチ狩りに成功すると捕殺部に上昇するが、賢いスズメバチは警戒し、下部の空洞から降下し外部に逃走するため、誘導部の底部に底板を設置したスズメバチ捕獲器。
【請求項３】
スズメバチは、集団でミツバチを攻撃し、反撃するミツバチが全滅すると巣箱内に進入、一群を壊滅状態にしてしまうので誘導部の巣箱の近い部位にスズメバチは通過できないが、ミツバチは通過できる金網を設けたことを特徴とするスズメバチ捕獲器。
【考案の詳細な説明】
【技術分野】
【０００１】  本考案は、ミツバチの天敵であるスズメバチを捕獲するスズメバチ捕獲器に関する。
獲する捕獲器が提案されている。
例えば、スズメバチ駆除器をミツバチの巣箱に取り付け取り外しが簡単にでき、スズメバチの死骸を掃除する際に、引き戸を開けて手早く短時間に取り出す事ができ、スズメバチの捕獲量を増大させ、スズメバチに噛み殺される被害を減少させる捕獲器が提案されている。
【特許文献１】  捕獲器の取り付けが簡単で、捕獲したスズメバチの廃棄が容易な捕獲箱と誘導箱が提供されている。
【特許文献２】  捕獲器の捕殺部天上板に穴を開けて金網を張り、ミツバチは外部に通過出来るがスズメバチは通過できない  誘導、捕獲、捕殺部を前方に１０度傾けスズメバチが上昇し易い捕獲器が提供されている。
【特許文献３】
【先行技術文献】
【特許文献】
【０００３】
【特許文献１】実用新案登録第３０２６９７１号広報
【特許文献２】実用新案登録第３１６９７５８号広報
【特許文献３】実用新案登録第３２０１０２１号広報
【考案が解決しょうとする課題】
【０００４】  特許文献１の捕獲器は、駆除器捕殺部の網目をミツバチが通ることができ、捕獲されているスズメバチに自ら攻撃し、かみ殺されるミツバチの被害が甚大である。
特許文献２の捕獲器は、捕殺部にスズメバチを捕獲すると、ミツバチは誘導部から上昇し、捕殺部に入り攻撃するためスズメバチにかみ殺される被害が甚大である。
特許文献３の捕獲器は、スズメバチを捕殺部に捕獲中、ミツバチが誘導部から上昇、捕殺部に進入するとスズメバチに噛み殺される。
誘導部に進入した賢いスズメバチは、上昇することなく下部が空洞であるため、降下して外部に逃走する。
誘導部に進入したスズメバチは反撃するミツバチをかみ殺し、全滅すると巣箱内に進入、壊滅状態にする。以上からミツバチをスズメバチから守る構造のスズメバチ捕獲器を提供するものである。
【課題を解決するための手段】
【０００５】  誘導部、捕獲部及び、捕殺部からなるスズメバチ捕獲器で、
誘導部は、平行した一対の誘導側板と天上板及び、天上網で、下部は空洞となり、捕獲、補殺部に平行した一対の側面板から成り、側面板の底部から２分の１の位置に捕獲部、４分の３の位置に捕殺部が設置され、捕獲部の底には１カ所の穴が設けられ、捕殺部の底には１カ所の穴、天上板に１カ所の穴が設け，捕獲部、捕殺部の底に設けた穴は、ミツバチ、スズメバチとも通れる穴であり、天上板に設けた穴は、ミツバチは通過出来るがスズメバチは通過できない更に、誘導部、捕獲部、捕殺部を前方に１０度傾けた、従来のスズメバチ捕獲器を更に、改良しスズメバチの捕獲効果が上がる構造にした。
【０００６】  そこで本考案は、スズメバチがミツバチ狩りをするため誘導部内に進入すると捕獲部  捕殺部に上昇して捕獲するが、多少のミツバチも誘導部から捕殺部に上昇して、スズメバチを捕獲しているとミツバチが噛み殺されてしまうのでミツバチを捕獲部から上昇しない様に、捕獲部正面金網の外側上部に巾３センチのトタン板を捕獲部の全巾に取り付けた。
ミツバチは、トタン板まで上昇すると正面の視界が塞がれ、暗くなるため警戒し、捕殺部に上昇することなく、正面網から外部に脱出するのでスズメバチに噛み殺される被害が無くなった。
次ぎに、スズメバチは、誘導部内に進入すると、通常は上昇して捕獲、捕殺部へと上昇通過して捕獲となるが、賢いスズメバチはミツバチ狩りに成功すると即、飛行を開始するが捕獲部底板の穴のみで前後左右と上部が塞がれているため、警戒心も旺盛に成り、上昇することなく、空間でホバリング飛行し続け、出口を探すが、時間と共に下部が広い空洞になっていることを学習し、下降脱出してしまうため捕獲失敗となる。
底部の一部に板を張り、出入り口を狭く脱出逃走することが困難にした。
スズメバチは、一度脱出に成功すると以後は、この手口で何度も繰り返し襲うので被害も大きく、又仲間に指導することから更に、被害が大きく一群が全滅することに陥る。
スズメバチは、誘導部に進入してミツバチ狩りに成功すると、仲間を増やし何度でもミツバチが居る限り襲い、末には誘導部内で集団で噛み殺し、反撃するミツバチが全滅すると、スズメバチは集団で巣箱内に進入、蜂蜜を始めミツバチの幼虫まで噛み殺し餌として運び出し壊滅状態にするため、スズメバチが巣箱内に進入することが出来ない様にミツバチは通過できるが、スズメバチは通過できない金網を誘導部底板のミツバチ巣箱の出入り口に近い位置と、誘導部天上板の巣箱の出入り口に近い部位の間全面に隙間なく張り付け、完全にスズメバチはミツバチ巣箱に進入することが出来なく、巣箱内の女王、成虫ミツバチ、幼虫、卵、蜂蜜等を護ることを特徴とするスズメバチ捕獲器である。
【考案の効果】
【０００７】  従来のスズメバチ捕獲器は、捕獲部にスズメバチを捕獲すると、ミツバチも誘導部から上昇  捕獲部に進入して噛み殺されていた。
本考案では、ミツバチは誘導部を通過して巣箱に出入りしているが、多少のミツバチは誘導部から上昇して捕獲、捕殺部に進入していたが、トタン板で捕殺部に上昇するミツバチを減少することができ被害が少なくなった。
次に、誘導部に進入したスズメバチは、下降して外部に脱出逃走するため、誘導部底部出入り口の一部に底板を取り付けたことで、進入したスズメバチは逃走が困難に成り、上昇して捕獲、補殺部に進入させ容易に捕獲することができる。
次に、スズメバチがミツバチ巣箱内に進入することはミツバチ一群を壊滅状態にする甚大な被害を受けるが、巣箱に進入阻止網を設置したことで壊滅する被害を避け、再び復活することが出来るようになった。
【図面の簡単な説明】
【図１】スズメバチ捕獲器をミツバチ巣箱に散り付けた斜視図
【図２】スズメバチ捕獲器にトタン板を取り付けた斜視図
【図３】スズメバチ捕獲器の誘導底部の底板を示す斜視図
【図４】ミツバチ巣箱内にスズメバチの進入阻止網を示す斜視図  本考案を図面を参照しながら説明する。【０００８】  図１は、スズメバチ捕獲器をミツバチ巣箱に取り付けた斜視図であり、
１は、ミツバチ巣箱で、２は、スズメバチ捕獲器である。
３は、誘導部側面板、４は、誘導部を固定させ、ミツバチ巣箱に密着させる天上板、
５は、誘導部内を明るくスズメバチの警戒心をやわられる天上金網、６は、誘導部側面板に直径１０センチの穴を開け、ミツバチは通過出来るがスズメバチは通過できないかな網を張り、内部を明るく警戒しない様にした。
７は、捕獲、捕殺部に捕獲したスズメバチを排除する穴。【０００９】  図２は、スズメバチ捕獲器の誘導、捕獲、補殺部を正面から見た斜視図であり、
８は、誘導部天上板の金網張りの穴でミツバチは通過脱出することが出来るがスズメバチは通過できない。９は、捕殺部正面金網でミツバチ、スズメバチとも通過できない金網。１０は、捕殺部に進入したスズメバチの逆流防止するため捕殺部底に設置した捕殺部底穴、１１は、スズメバチを捕殺部に捕獲時、ミツバチが捕殺部に進入すると全てが噛み殺されるので上昇防止の巾３センチのトタン板。１２、捕獲部正面金網でミツバチは通過出来るがスズメバチは通過できない。１３は、誘導部の底部に１カ所の穴があり、進入したスズメバチが逆流を防止する穴でミツバチ、スズメバチとも通過できる。１４は、誘導部正面金網で、ミツバチは通過できるがスズメバチは通過できない。【００１０】  図３は、スズメバチ捕獲器の誘導部底部の底板を示す斜視図であり、
１５は、スズメバチが誘導部に進入すると、通常は上昇して捕殺部に進入するが、賢いスズメバチは警戒して補殺部の上昇せず、下降して逃走するので下降難く底部の一部に板を張り、出口を狭まくした底板。１６は、ミツバチ、スズメバチが捕獲器の出入り口。【００１１】図４は、スズメバチがミツバチ巣箱内に進入を阻止する金網を示す斜視図であり、
１７は、スズメバチが誘導部からミツバチ巣箱内に進入を阻止する金網でミツバチは通過出来るがスズメバチは通過できない。
１８は、スズメバチが、ミツバチ巣箱内に進入を阻止する金網の上部取り付ける誘導部天上板の位置。
１９は、スズメバチが、ミツバチ巣箱内に進入を阻止する金網の下部を取り付ける誘導部底板の位置。
【符号の説明】
【００１２】１  ・  ミツバチ巣箱
２  ・  スズメバチ捕獲器
３  ・  誘導部側面板
４  ・  誘導部天上板
５  ・  誘導部天上網
６  ・  誘導部側面穴
７  ・  捕獲、捕殺部に捕獲したスズメバチの排除穴
８  ・  補殺部天上穴
９  ・  捕殺部正面金網
１０・  捕殺部逆流防止穴
１１・  捕獲部正面外側の上部に取り付けたトタン板
１２・  捕獲部正面金網
１３・  捕獲部逆流防止穴
１４・  捕獲部正面金網
１５・  誘導部底部の底板
１６・  誘導部のミツバチ、スズメバチが出入りする空間
１７・  スズメバチをミツバチ巣箱に進入を阻止する金網
１８・  誘導部にスズメバチの進入阻止網を取り付ける天上板の位置
１９・  誘導部にスズメバチの進入阻止網を取り付ける底板の位置
【図１】
0003220502.tif 000003
【図２】
0003220502.tif 000004
【図３】
0003220502.tif 000005
【図４】
0003220502.tif 000006
【手続補正書】
【提出日】平成30年10月18日(2018.10.18)
【手続補正１】
【補正対象書類名】実用新案登録請求の範囲
【補正対象項目名】全文
【補正方法】変更
【補正の内容】
【実用新案登録請求の範囲】
【請求項１】
誘導部、捕殺部、捕殺部からなるスズメバチ捕獲器で、
誘導部は、平行した誘導と天上板及び天上網で下部は３分の２が板張３分の１が空洞に成り、
捕獲、捕殺部は、平行した側板と天上板から成り、側板の底部から２分の１の位置に捕獲部４分の３の底板に捕殺部が設置され、捕獲部の底には１カ所の穴、捕殺部の底には１カ所の穴、天上板に１カ所の穴を設け誘導部、捕獲部の正面金網は、スズメバチは通過できなくミツバチは通過でき捕殺部の正面金網は、スズメバチ、ミツバチとも通過できなく、外部からも進入できなく捕獲、捕殺部の底に設けた穴は、スズメバチ、ミツバチとも通過でき天上板に設けた穴は、ミツバチは通過できるがスズメバチは通過できなく、ミツバチが誘導部を通過する時、多少のミツバチが外部に出ることなく捕殺部に上昇するため、捕獲部正面金網の外側上部に巾３センチのトタン板を取り付けたスズメバチ捕獲器。
【請求項２】
誘導部に進入したスズメバチは、ミツバチ狩りに成功すると捕殺部に上昇るが、賢いスズメバチは警戒し、下部の空洞から降下し外部に逃走するため、誘導部の底部に底板を設置したことを特徴とする請求項１に記載のスズメバチ捕獲器。
【請求項３】
スズメバチは、集団でミツバチを攻撃し、反撃するミツバチが全滅すると巣箱内に進入、一群を壊滅状態にしてしまうので誘導部の巣箱に近い部位にスズメバチは通過できないがミツバチは通過できる金網を設けたことを特徴とする請求項１又は２に記載のスズメバチ捕獲器。
【手続補正書】
【提出日】平成30年12月17日(2018.12.17)
【手続補正１】
【補正対象書類名】実用新案登録請求の範囲
【補正対象項目名】全文
【補正方法】変更
【補正の内容】
【実用新案登録請求の範囲】
【請求項１】
誘導部、捕獲部、捕殺部からなるスズメバチ捕獲器で、
誘導部は、平行した誘導側板と天上板及び天上網で下部は３分の２が板張３分の１が空洞に成り、
捕獲、捕殺部は、平行した側板と天上板から成り、側板の底部から２分の１の位置に捕獲部４分の３の位置に捕殺部が設置され、捕獲部の底には１カ所の穴、捕殺部の底には１カ所の穴、天上板に１カ所の穴を設け誘導部、捕獲部の正面金網は、スズメバチは通過できなくミツバチは通過でき捕殺部の正面金網は、スズメバチ、ミツバチとも通過できなく、外部からも進入できなく捕獲、捕殺部の底に設けた穴は、スズメバチ、ミツバチとも通過でき天上板に設けた穴は、ミツバチは通過できるがスズメバチは通過できなく、ミツバチが誘導部を通過する時、多少のミツバチが外部に出ることなく捕殺部に上昇するため、捕獲部正面金網の外側上部に巾３センチのトタン板を取り付けたスズメバチ捕獲器。
【請求項２】
誘導部に進入したスズメバチは、ミツバチ狩りに成功すると捕殺部に上昇るが、賢いスズメバチは警戒し、下部の空洞から降下し、外部に逃走するため、誘導部の底部に底板を設置したことを特徴とする請求項１に記載のスズメバチ捕獲器。
【請求項３】
スズメバチは、集団でミツバチを攻撃し、反撃するミツバチが全滅すると巣箱内に進入、一群を壊滅状態にしてしまうので誘導部の巣箱に近い部位にスズメバチは通過できないがミツバチは通過できる金網を設けたことを特徴とする請求項１又は２に記載のスズメバチ捕獲器。